(57)【要約】【課題】洗濯機における槽底部のナットを締緩する作業の負担を軽減し、ナットからの離脱を確実に防止して作業性を高めることができるナット回し工具を提供する。【解決手段】本実施形態のナット回し工具は、槽底部の中心軸に螺合されるナットに嵌合可能な嵌合部を有する嵌合部本体と、先端側に打撃部を有し基端側が前記嵌合部本体に接続され、前記嵌合部本体が前記嵌合部にて前記ナットに嵌合した状態で前記中心軸の軸線方向から見て放射状に延び且つ槽の開口側へ傾斜した形状をなす傾斜アームとを備える。前記傾斜アームの基端側または前記嵌合部本体に、当該工具を把持するための把持手段を立設した。【選択図】図２
2014023695.tif 000002
【特許請求の範囲】
【請求項１】
洗濯機における槽底部の中心部に位置する中心軸に対して螺合されるナットの締緩に用いられるナット回し工具であって、
前記ナットに嵌合可能な嵌合部を有する嵌合部本体と、
先端側に打撃部を有し基端側が前記嵌合部本体に接続され、前記嵌合部本体が前記嵌合部にて前記ナットに嵌合した状態で前記中心軸の軸線方向から見て放射状に延び且つ前記槽の開口側へ傾斜した形状をなす傾斜アームと、を備え、
前記傾斜アームの基端側または前記嵌合部本体に、当該工具を把持するための把持手段を立設したことを特徴とするナット回し工具。
【請求項２】
前記把持手段は、
前記傾斜アームの基端側または前記嵌合部本体に対し、前記中心軸と同軸上となるように立設された同軸部材と、
前記同軸部材の端部に設けられた把持部とを備えることを特徴とする請求項１記載のナット回し工具。
【請求項３】
前記傾斜アームは、前記打撃部を打撃する側から見て当該傾斜アームにおける前記打撃部以外の部分よりも前記打撃部の部分が広くなるように形成された打撃面を有することを特徴とする請求項１又は２記載のナット回し工具。
【発明の詳細な説明】
【技術分野】
【０００１】
本実施形態は、ナット回し工具に関する。
【背景技術】
【０００２】
例えば脱水兼用洗濯機においては、脱水槽の内底部に撹拌体を備え、洗い運転時には、洗濯機モータの回転を撹拌体にのみ伝達して撹拌体を回転駆動し、脱水運転時には、前記モータの回転を撹拌体及び脱水槽の双方に伝達してそれらを一体的に高速で回転駆動するようになっている。
ところで、上記洗濯機のメンテナンス等で、ナットの締め付けや緩め外しを行うためにスパナやモンキ等の工具が一般的に用いられている。また、一般的には、ナットの周囲の空間が狭い所で、何度もスパナを掛け直さずに済むよう、ユニバーサルジョイントを用いてナットを締緩する作業が行われている。
駆動部分
【先行技術文献】
【特許文献】
【０００３】
【特許文献１】特開２０１０−０６５４０１号公報
【発明の概要】
【発明が解決しようとする課題】
【０００４】
上記洗濯機の駆動部分、特に脱水槽用の駆動軸（中心軸）に螺合するナットは、当該駆動軸に固く固着している場合があり、例えばハンマでスパナの柄に打撃を加える等して緩めることとなる。
【０００５】
しかしながら、当該ナットは脱水槽の内底部に位置しており、作業者は、脱水槽内に手を伸ばして前屈姿勢をとる等の作業姿勢を強いられるだけでなく、脱水槽内をハンマで傷つけないようにして作業を行う必要がある。一方、ユニバーサルジョイントは本来、手で操作する際に用いるものであり、これを用いたとしても大きな回転操作力を要する。いずれにしても、脱水槽における内底部のナットを締緩する作業は、工具全体が前記中心軸の軸線方向に振れ、或いはナットから工具（スパナの係合部）が離脱しやすいこともあり、大きな作業負担となっていた。
【０００６】
そこで、洗濯機における槽底部のナットを締緩する作業の負担を軽減し、ナットからの離脱を確実に防止して作業性を高めることができるナット回し工具を提供する。
【課題を解決するための手段】
【０００７】
本実施形態のナット回し工具は、洗濯機における槽底部の中心部に位置する中心軸に対して螺合されるナットの締緩に用いられるものであり、前記ナットに嵌合可能な嵌合部を有する嵌合部本体と、先端側に打撃部を有し基端側が前記嵌合部本体に接続され、前記嵌合部本体が前記ナットに嵌合した状態で前記中心軸の軸線方向から見て放射状に延び且つ前記槽の開口側へ傾斜した形状をなす傾斜アームと、を備え、前記傾斜アームの基端側または前記嵌合部本体に、当該工具を把持するための把持手段を立設した。
【図面の簡単な説明】
【０００８】
【図１】第１実施形態のナット回し工具と共に示す洗濯機全体の概略的な縦断面図
【図２】ナット回し工具全体の外観斜視図
【図３】第２実施形態を示す図２相当図
【図４】第３実施形態を示す図２相当図
【図５】第４実施形態を示す図２相当図
【発明を実施するための形態】
【０００９】
＜第１実施形態＞
以下、脱水兼用洗濯機（全自動洗濯機）に適用した第１実施形態について図１、図２を参照しながら説明する。図１に示すように、脱水兼用洗濯機（以下、洗濯機１と称す）において、ほぼ矩形箱状をなす外箱２内には、脱水時等に水を受ける水槽３が弾性吊持機構４を介して設けられている。水槽３内には、内部に洗濯物が収容される脱水槽５が回転可能に設けられている。水槽３及び脱水槽５は、何れも円筒状の胴部と底部とを有して有底円筒状をなしている。このうち、内側の「槽」たる脱水槽５の内底部５ａには、水流生成用の撹拌体として周知のパルセータ（図示略）が設けられている。また、脱水槽５の胴部５ｂには多数の脱水孔６が形成されている。
【００１０】
水槽３の外底部には、インバータ駆動方式のアウタロータ形の洗濯機モータ７及び、その洗濯機モータ７の回転駆動力を脱水槽５及び前記撹拌体へ伝達するクラッチ機構８が設けられている。詳しい図示及び説明は省略するが、クラッチ機構８は、クラッチの上下移動によって、洗い運転時に洗濯機モータ７の回転駆動力を前記撹拌体のみに伝達し、脱水運転時に洗濯機モータ７の回転駆動力を脱水槽５及び前記撹拌体の双方に伝達するように切替える構成となっている。
【００１１】
これら洗濯機モータ７及びクラッチ機構８により、洗いやためすすぎの行程においては、前記撹拌体が正逆回転されて脱水槽５内に撹拌水流が生成され、脱水や脱水すすぎの行程においては、脱水槽５が前記撹拌体と一体的に高速回転されるようになっている。なお、洗濯機１は周知の乾燥手段（例えばＰＴＣからなるヒータ及びファン装置）を備えており、乾燥の行程においても、脱水槽５が前記撹拌体と一体的に回転されるようになっている。
【００１２】
水槽３の底部には、脱水槽５からの排水を行うための排水口９ａ及び排水路９が設けられており、この排水路９の排水弁１０（及び排水口９ａ）に排水ホース１１が接続されている。一方、脱水槽５の上端部にはバランスリング１２が装着されている。また、水槽３の上端部には、一部のみ示すように、ほぼリング状をなす桶カバー１５が設けられており、その開口部が脱水槽５の上面開口部に連通している。
【００１３】
外箱２の上端部には、前辺部に操作パネル（図示略）を有するトップカバー１６が設けられている。このトップカバー１６は、中央にほぼ円形の洗濯物出入口を有する矩形枠状をなすと共に、薄形の中空箱状をなしている。このトップカバー１６の上面部には、前記洗濯物出入口を開閉するための二つ折りタイプの蓋１６ａが設けられている。トップカバー１６の後辺部には、脱水槽５内に給水を行うための給水機構や、洗剤・助剤供給装置（何れも図示略）が設けられている。
【００１４】
ここで、前記クラッチ機構８の構成については、例えば特許第３５６４３１６号広報等において公知であるため、簡単に述べることとする。図１に示すように、水槽３の外底部に配設された中空状のハウジング１７には、その下面部に前記洗濯機モータ７が取付けられている。ハウジング１７には、その上下部の図示しない軸受により、中空状の槽軸１８が回転可能に設けられている。そして、槽軸１８と脱水槽５とがナット２０（図１にのみ図示）により固定されており、槽軸１８と脱水槽５が一体回転するようになっている。
【００１５】
槽軸１８の中空部内には、撹拌軸１９が上下に貫通するように挿通され、図示しない軸受によって槽軸１８に対して回転自在に支持されている。この撹拌軸１９上端部に前記撹拌体が図示しないねじにより固定され連結されている。撹拌軸１９の下端部は、洗濯機モータ７のロータ７ａ中心のロータボス部に連結されている。また、槽軸１８の下端側の外周部には、槽軸１８と前記ボス部との連結及び切離しを行なうためのクラッチが設けられている。
【００１６】
さて、上記した洗濯機１にあって、洗濯機モータ７やクラッチ機構８を含む駆動部分の組付け或はメンテナンスの際、ナット２０用の工具２１（ナット回し工具）が用いられる。当該工具２１について、図２も参照しながら説明する。
【００１７】
先ず、ナット２０に螺合する槽軸１８は、脱水槽５の底部５ａ中心を貫通するように配置された円筒状の中心軸であり、外周に雄ねじが形成されている。一方、内周に雌ねじが形成されたナット２０は、例えば、六角外形をなし二面幅が３８ｍｍの比較的径大なものである。そして、工具２１は、図２に示す中心部の嵌合部本体２２と、当該本体２２を基端側として逆「ハ」字状に延びる傾斜アーム２３と、その上方に延びるように立設された「Ｔ」字状の把持手段２４とを備えて構成されている。これら嵌合部本体２２、傾斜アーム２３及び把持手段２４は、何れも金属材料からなり各溶接部２５ａ，２５ｂにて強固に接続固定されている。
【００１８】
嵌合部本体２２は、回転対象となるナット２０外周を囲う円環状をなしている。即ち、嵌合部本体２２は円形の金属板材の中心部に、その板厚方向に貫通する嵌合孔２２ａを有する形状をなしている。嵌合孔２２ａは、ナット２０の外周と嵌合可能な六角形の嵌合部である。
【００１９】
傾斜アーム２３は、例えば比較的長尺な一枚の金属板材を屈曲形成することにより形成されている。この場合、傾斜アーム２３は、例えばその幅寸法Ｗが嵌合部本体２２の外形寸法よりも若干小さく設定された帯状をなす。傾斜アーム２３における長手方向の中心部には、嵌合部本体２２の上側を「コ」字状に囲うように屈曲された囲い部２６が設けられている。詳細には、囲い部２６は、ナット２０の外周側に位置して立ち上がる一対の側壁部２６ａ，２６ｂと、当該側壁部２６ａ，２６ｂ上端に連なり、ナット２０の上面側に位置する上面壁２６ｃを有する。上面壁２６ｃの中心部には、撹拌軸１９が挿通される挿通孔２６ｄが板厚方向に貫通するように形成されている。傾斜アーム２３の囲い部２６を嵌合部本体２２の上面側に配した状態で、その側壁部２６ａ，２６ｂの下面側とナット２０の外周部とが溶接により堅固に接続されている（溶接部２５ａ参照）。
【００２０】
囲い部２６の両側方には、外側へ延びる一対のアーム部２７が当該囲い部２６を挟んで相互に対向し且つ対称的に形成されている。これらアーム部２７について、一方のアーム部２７の構成要素の符号「Ａ」を、他方のアーム部２７の構成要素の符号「Ｂ」を夫々付して一括して説明する。
アーム部２７Ａ，２７Ｂは、側壁部２６ａ，２６ｂの下端側を上方へ斜めに折り返されることにより形成されている。これにより、アーム部２７Ａ，２７Ｂは、嵌合孔２２ａにナット２０が嵌合した状態で、脱水槽５（槽軸１８）の中心軸線Ｏの方向から見て放射状に延び且つ脱水槽５の開口側へ傾斜した形状をなしている。
【００２１】
アーム部２７Ａ，２７Ｂの先端側には、「Ｔ」字状の張出し部分を上方へ折り返すようにして打撃部２８Ａ，２８Ｂが設けられている。具体的には、打撃部２８Ａ，２８Ｂは、各アーム部２７Ａ，２７Ｂの先端側を水平に曲げた水平部３０において、その水平部３０の両側を上方へ「Ｌ」字状に折り返した張出し部分３１，３２により構成されている。これにより、打撃部２８Ａ，２８Ｂの各張出し部分３１，３２は、アーム部２７Ａ，２７Ｂの延設方向に対して直交する打撃方向（傾斜アーム２３の幅方向参照）から見て、当該アーム部２７Ａ，２７Ｂにおける打撃部２８Ａ，２８Ｂ以外の部分（板厚）よりも充分に広い打撃面３３，３３を有する。この場合、各打撃部２８Ａ，２８Ｂの張出し部分３１，３２は、夫々の打撃面３３，３３が傾斜アーム２３の幅方向へ若干張出すように形成されている。これにより、打撃面３３，３３は、曲げフランジ部たる張出し部分３１，３２において、例えば図２に示すようなほぼ矩形状をなし、確実に打撃力を与えることができる。
【００２２】
こうして、傾斜アーム２３は、囲い部２６、アーム部２７Ａ，２７Ｂ及び打撃部２８Ａ，２８Ｂが一枚の金属板材の屈曲形成により一体に構成されると共に、一対のアーム部２７Ａ，２７Ｂ及び打撃部２８Ａ，２８Ｂが相互に同じ寸法形状をなすように１８０度間隔で対称的に形成されることとなる。
【００２３】
把持手段２４は、傾斜アーム２３における囲い部２６の上面壁２６ｃ上に立設された同軸部材３４と、この同軸部材３４の上端部に設けられた把持部３５とを備える。同軸部材３４は金属製のパイプからなり、傾斜アーム２３よりも上方へ延びる長尺な円筒状をなしている。同軸部材３４の下端周縁部と、傾斜アーム２３の上面壁２６ｃは溶接により堅固に接続されている（溶接部２５ｂ参照）。同軸部材３４は、例えば傾斜アーム２３の幅寸法Ｗとほぼ同じ外径寸法に設定されている。また、同軸部材３４の内周部は、上面壁２６ｃの挿通孔２６ｄに連なり、撹拌軸１９の挿通が可能とされている。
【００２４】
把持部３５は、工具２１を把持するためのものであり、例えば同軸部材３４と同じパイプ材料から形成されている。把持部３５は、同軸部材３４より短い長さ寸法に設定され、当該同軸部材３４と直交する方向に延びている。把持部３５における長さ方向の中心部が、同軸部材３４の上端に対して溶接により堅固に接続固定されている。
【００２５】
こうして、金属製のパイプからなる同軸部材３４及び把持部３５、並びに金属製の板材からなる嵌合部本体２２及び傾斜アーム２３が一体的に構成されて、ナット２０の締め付けや緩め外しを行う際の工具２１として使用される。この工具２１は、ナット２０に嵌合部本体２２の嵌合孔２２ａを嵌合させた状態で、打撃部２８Ａ，２８Ｂが、脱水槽５の内底部５ａから上方へ離間し、且つ脱水槽５の胴部５ｂ（内壁部）との間に所定の隙間（空間）が形成される（図１参照）。このため、後述するハンマで打撃部２８Ａ，２８Ｂの打撃面３３，３３の何れかを打撃する際、脱水槽５内をハンマで傷つけないようにして、その打撃力をナット２０の締結力（或は締結解除力）として確実に作用させることができる。
次に、上記した槽軸１８におけるナット２０の締緩について、工具２１を用いて緩め外す場合を例に説明する。なお、撹拌軸１９上端部の前記撹拌体は既に取り外されているものとする。
【００２６】
上記したように、ナット２０は脱水槽５の内底部５ａに位置する。そこで、作業者は、工具２１の把持部３５を把持し、撹拌軸１９上端部に対して囲い部２６の挿通孔２６ｄと同軸部材３４の下部とを順次挿通させるようにして、ナット２０に対し上面側から嵌合部本体２２を嵌合させる。これにより、工具２１は、嵌合部本体２２の嵌合孔２２ａにナット２０が嵌合し、且つ同軸部材３４内（及び挿通孔２６ｄ）に撹拌軸１９が挿通された状態で安定してセットされる。
【００２７】
そして、この状態で作業者は、把持部３５を把持したまま、図示しないハンマにより、打撃部２８Ａ，２８Ｂの打撃面３３，３３の何れかを打撃する。即ち、各打撃部２８Ａ，２８Ｂの打撃面３３，３３のうち一方が締結時の打撃面、他方が締結解除時の打撃面であり、後者の打撃面３３に対して垂直な方向から打撃を加える。この打撃の際、作業者により把持部３５が中心軸線Ｏ上で把持され、且つ囲い部２６の挿通孔２６ｄと同軸部材３４の下部とが撹拌軸１９に挿通されているため、嵌合孔２２ａからナット２０を離脱させることなく作業を行うことができる。また、この場合、作業者は脱水槽５の内方に手を入れて作業することになるが、打撃部２８Ａ，２８Ｂが槽５底部５ａよりも上方に位置し、把持部３５が打撃部２８Ａ，２８Ｂよりも上方に位置するため、無理な作業姿勢をとらずにすみ、作業者にかかる負担は軽減される。
【００２８】
前記打撃によりナット２０が緩んだ後も、続けて軽く打撃を行い、或は把持部３５を持つ手で中心軸線Ｏの回りに回転操作力を加えることで、ナット２０を回して槽軸１８から外すことができる。
【００２９】
なお、ナット２０を締め付ける場合も、囲い部２６の挿通孔２６ｄと同軸部材３４の下部とに撹拌軸１９を挿通させ、且つ嵌合孔２２ａにナット２０が嵌合した状態で作業が行われる。この場合、各打撃面３３，３３のうち締結時の打撃面に対し、上記した締結解除時とは逆方向の打撃を加えることとなる。従って、締結解除時と同様、工具２１を用いて簡単にナット２０を締結することができる。
【００３０】
以上説明しようたように、洗濯機１用のナット回し工具２１は、ナット２０に嵌合可能な嵌合孔２２ａ（嵌合部）を有する嵌合部本体２２と、先端側に打撃部２８Ａ，２８Ｂを有し基端側が嵌合部本体２２に接続され、嵌合部本体２２が嵌合部にてナット２０に嵌合した状態で槽軸１８（中心軸）の軸線Ｏ方向から見て放射状に延び且つ槽５の開口側へ傾斜した形状をなす傾斜アーム２３と、を備え、傾斜アーム２３の基端部側に、当該工具２１を把持するための把持手段２４を立設した。
【００３１】
これによれば、工具２１はナット２０に嵌合孔２２ａが嵌合した状態で、打撃部２８Ａ，２８Ｂに対して槽５底部５ａから離間した位置で打撃を加えることができる。このため、ハンマ等で打撃する際に、槽５底部５ａ側まで手を伸ばした無理な作業姿勢をとらずにすみ、槽５内を傷つけないようにすることができる。また、傾斜アーム２３の基端部側に把持手段２４が立設されているので、作業者は把持手段２４を把持することにより、槽５底部５ａ側まで手を伸ばすことなく工具２１を保持することができる。また、これにより、ナット２０から嵌合部が離脱せず、且つ打撃部２８Ａ，２８Ｂを確実に打撃することができる。従って、打撃力をナット２０の締結力（或は締結解除力）として確実に作用させることができ、作業性を高めることができる。
【００３２】
把持手段２４は、傾斜アーム２３の基端部側に対し、槽軸１８と同軸上となるように立設された同軸部材３４と、同軸部材３４の端部に設けられた把持部３５とを備える。これによれば、同軸部材３４は、ナット２０を回しても、中心軸の軸線Ｏからぶれずに回転するため、把持部３５でしっかりと工具２１を保持することができ、使い勝手のよいものとすることができる。
【００３３】
傾斜アーム２３は、打撃部２８Ａ，２８Ｂを打撃する側から見て当該傾斜アーム２３における打撃部２８Ａ，２８Ｂ以外の部分よりも打撃部２８Ａ，２８Ｂの部分が広くなるように形成された打撃面３３，３３を有する。これによれば、所謂空打ちを防止し、打撃面３３，３３をより確実に打撃することができ、作業性を一層向上させることができる。
把持手段２４の同軸部材３４を前記軸線Ｏの方向に延びる中空状に形成したので、槽５底部５ａ側の軸（撹拌軸１９）を通すことができ、嵌合孔２２ａからのナット２０の離脱を防止することができる。
【００３４】
また、囲い部２６に、前記軸を挿通するための挿通孔２６ｄ（穴部）を形成することにより、上記した同軸部材３４の中空部（穴部）と同様の効果を奏する。即ち、工具２１において、下側の嵌合孔２２ａでナット２０に嵌合し、その上側の軸線Ｏ上で槽５底部５ａ側の軸と係合可能な穴部で係合するため、工具２１の離脱により作業が中断されるといった事態を回避することができる。
【００３５】
更に、一対のアーム部２７Ａ，２７Ｂと、その基端部の囲い部２６と、先端部の打撃部２８Ａ，２８Ｂとを一枚の金属板材から形成することで、工具２１を簡単且つ安価な構成とすることができる。
また、把持手段２４は、打撃部２８Ａ，２８Ｂよりも上方に位置する。このため、誤って手をハンマで叩く等して怪我をするおそれがなく、また、把持手段２４で工具２１を把持したままハンマ等の柄を持ちやすい（打撃し易い）位置関係の構成とすることができる。
【００３６】
＜その他の実施形態＞
図３〜図５は、第２〜第４実施形態を示すものであり、既述の部分と同一部分には同一符号を付す等して説明を省略し、以下異なる点につき説明する。
【００３７】
図３は、第２実施形態を示す図２相当図である。第２実施形態の工具４０は、第１実施形態の工具２１の把持部３５が省略された構成にある。従って、工具４０における同軸部材３４は把持手段とされ、その上端部３４ａは、作業者により把持される把持部とされている。この構成によっても、同軸部材３４の上端部３４ａを把持してナット２０を回す際、その回転中心がずれないように軸線Ｏ上で回転させて、ナット２０を締緩することができ、第１実施形態と同様の効果を奏する。
【００３８】
このように、把持部は、第１実施形態の如く同軸部材３４上に設けられた管状（または棒状）の把持部３５でもよいし、更にもう一つの把持部（図示略）を当該把持部３５と交差させた「Ｘ」字状をなすように設けるようにしてもよい。また、把持手段２４は、傾斜アーム２３の基端部側たる囲い部２６上に立設したが、嵌合部本体２２に対して立設してもよく、この構成によっても、上記した実施形態と同様の効果を奏する。
【００３９】
図４は、第３実施形態を示すものであり、第３実施形態の工具４２は、第１実施形態の工具２１の把持手段２４全部が省略された構成にある。この構成によっても、工具４２は、嵌合部本体２２の嵌合孔２２ａにナット２０が嵌合し、且つ囲い部２６の挿通孔２６ｄに撹拌軸１９が挿通されるため、槽軸１８上に安定してセットされる。従って、第３実施形態の工具４２によれば、前記の把持手段２４の効果を除いて、第１実施形態と同様の効果を奏する。
【００４０】
図５は、第４実施形態を示す図２相当図である。第４実施形態の工具４５は、第１実施形態の工具２１と以下の点で相違する。即ち、工具４５では、把持手段２４全部と囲い部２６とが省略されている。また、工具４５は、全体が一枚の金属板材を屈曲することにより形成されていて、嵌合部本体２２と、この本体２２の外周に繋がるアーム部２７Ａ，２７Ｂと、打撃部２８Ａ，２８Ｂとを一体に有して構成されている。従って、把持手段２４と囲い部２６に係る効果を除いて、第１実施形態と同様の効果を奏する。また、一枚の金属板材から工具４５を形成することで、溶接部２５ａ，２５ｂを不要とし、極力簡単で安価な構成とすることができる。
【００４１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【００４２】
例えば、上記した工具は洗濯機１に限定されず、有底円筒状の槽を備えた各種の洗濯機に適用することができる。嵌合部は嵌合孔２２ａに限らず、ナットの形状に応じて嵌合可能な形状であればよい。
【００４３】
一対のアーム部２７Ａ，２７Ｂは、夫々の長さ寸法や傾斜角を異ならせる等、非対称としてもよい。また、傾斜アーム２３のアーム部は、２つ（一対）に限らず、単数或は３つ以上の複数のもので構成してもよい。更にはアーム部２７Ａ，２７Ｂにおいて折曲形成された打撃部２８Ａ，２８Ｂに代えて、アーム部２７Ａ，２７Ｂに対して、当該アーム部２７Ａ，２７Ｂとは別部材の打撃部を溶接等により固定してもよい。
【符号の説明】
【００４４】
図面中、１は洗濯機、５は槽（脱水槽）、１８は中心軸（槽軸）、２０はナット、２１はナット回し工具、２２は嵌合部本体、２２ａは嵌合部、２３は傾斜アーム、２４は把持手段、２８Ａ，２８Ｂは打撃部、３３は打撃面、３４は同軸部材（把持手段）、３４ａ，３５は把持部、４０，４２，４５はナット回し工具を示す。
【図１】
2014023695.tif 000003
【図２】
2014023695.tif 000004
【図３】
2014023695.tif 000005
【図４】
2014023695.tif 000006
【図５】
2014023695.tif 000007